(57)【要約】【課題】製造コストや製造効率を向上させつつ、各窓種での開口面積を確保することができる開口部装置を提供する。【解決手段】開口部装置１０は、上枠１２ａ、下枠１２ｂ及び左右の縦枠１２ｃ，１２ｄで開口部１４を形成した枠体１２を備える。上枠１２ａ、下枠１２ｂ及び左右の縦枠１２ｃ，１２ｄは、押縁２４を装着可能な係合部２２を開口部１４側の内側見込み面２０とは反対側の外側見込み面２１に有し、上枠１２ａ、下枠１２ｂ及び左右の縦枠１２ｃ，１２ｄは、外側見込み面２１より室外側に位置した室外側見付け面２８が開口部１４を塞ぐ面材１６に対するシール面、又は可動障子１８に対する水密材５６若しくは気密材５７の当接面となる。【選択図】図１
2018066137.tif 000002
【特許請求の範囲】
【請求項１】
上枠、下枠及び左右の縦枠で開口部を形成した枠体を備える開口部装置であって、
前記上枠、下枠及び左右の縦枠は、押縁を装着可能な係合部を開口部側の見込み面とは反対側の外側見込み面に有し、
前記上枠、下枠及び左右の縦枠は、前記外側見込み面より室外側に位置した室外側見付け面が前記開口部を塞ぐ面材に対するシール面、又は可動障子に対する水密材若しくは気密材の当接面となることを特徴とする開口部装置。
【請求項２】
請求項１記載の開口部装置において、
前記面材はその縁部が、前記係合部に装着された前記押縁と前記室外側見付け面との間に形成された開口溝内で支持され、
前記面材と前記室外側見付け面との間にはシール材が設けられることを特徴とする開口部装置。
【請求項３】
請求項１記載の開口部装置において、
前記可動障子はその室内側見付け面が、水密材又は気密材を介して前記室外側見付け面に当接されることを特徴とする開口部装置。
【請求項４】
請求項１記載の開口部装置において、
前記上枠と前記下枠との間には、前記開口部を上下に仕切るように前記左右の縦枠間に亘る中間枠が設けられ、
前記中間枠で仕切られた一方の開口部には、前記面材又は前記可動障子が設けられ、
前記中間枠で仕切られた他方の開口部には、前記面材又は前記可動障子が設けられ、
前記中間枠はその室外側見付け面が、前記一方の開口部に設けられる前記面材又は前記可動障子と、前記他方の開口部に設けられる前記面材に対するシール面、又は前記可動障子とに対する水密材若しくは気密材の当接面となることを特徴とする開口部装置。
【請求項５】
請求項４記載の開口部装置において、
前記中間枠の室外側見付け面には、室外側に向かって突出した突出片が設けられ、
前記突出片は、前記中間枠の室外側見付け面の上下方向中央位置よりも上部又は下部に位置ずれしていることを特徴とする開口部装置。
【請求項６】
請求項４又は５記載の開口部装置において、
前記突出片は、前記中間枠に対して装着される中間押縁を装着可能な係合部を有することを特徴とする開口部装置。
【請求項７】
請求項６記載の開口部装置において、
前記一方の開口部に前記面材が設けられ、前記他方の開口部に前記可動障子が設けられる場合、前記中間押縁は、前記面材が設けられる一方の開口部側に突出して前記中間枠の室外側見付け面との間に前記面材の縁部を支持する開口溝を形成する押え片を有すると共に、該押え片が前記可動障子が設けられる他方の開口部側には突出していない略Ｌ字形状を有することを特徴とする開口部装置。
【請求項８】
請求項６記載の開口部装置において、
前記一方の開口部に前記面材が設けられ、前記他方の開口部に前記面材が設けられる場合、前記中間押縁は、前記面材が設けられる一方の開口部側に突出して前記中間枠の室外側見付け面との間に前記面材の縁部を支持する開口溝を形成する押え片を有すると共に、該押え片が前記面材が設けられる他方の開口部側にも突出した略Ｔ字形状を有することを特徴とする開口部装置。
【発明の詳細な説明】
【技術分野】
【０００１】
本発明は、開口部を形成した枠体を備える開口部装置に関する。
【背景技術】
【０００２】
建物の開口部に設けられる開口部装置には、枠体にガラス板を固定した嵌め殺し窓や枠体に可動障子を開閉可能に設けた開閉窓等がある。このような開口部装置は、例えば建物の外壁を構成するカーテンウォールに対しても同様に用いられている。
【０００３】
通常、開口部装置はユーザの要望や建物の構造等に基づき、嵌め殺し窓単独、開閉窓単独又は両者並設で構成される。特にカーテンウォール等のように、枠体を上枠、中間枠（無目）、下枠及び左右の縦枠を用いた枠体で複数の開口部を設けた構成では、１つのユニット内に嵌め殺し窓や開閉窓が混在することもある。従って、これら各窓種に対してそれぞれ専用の枠体を準備しておくことは製造コストや製造効率の点で問題が多い。
【０００４】
例えば特許文献１には、中間枠で仕切った上下の開口部を共に嵌め殺し窓とした構成と、それぞれ嵌め殺し窓と開閉窓とした構成とで枠体を兼用した開口部装置が開示されている。
【先行技術文献】
【特許文献】
【０００５】
【特許文献１】特許第３３３３４８２号公報
【発明の概要】
【発明が解決しようとする課題】
【０００６】
上記特許文献１の構成では、嵌め殺し窓とする場合は枠体の開口部側の内側見込み面に突出片である保持部材を取り付け、この保持部材で面材を支持している。この際、枠体は内側見込み面よりさらに内方に位置した枠体の見付け面が面材のシール面となる。一方、開閉窓とする場合は保持部材を取り外すことで、枠体の内側見込み面が可動障子に対するシール面となる。このため、嵌め殺し窓及び開閉窓の両窓種で開口面積が枠体によって抑制されており、特に開閉窓ではガラス板部分の面積が小さくなっている。
【０００７】
本発明は、上記従来技術の課題を考慮してなされたものであり、製造コストや製造効率を向上させつつ、各窓種での開口面積を確保することができる開口部装置を提供することを目的とする。
【課題を解決するための手段】
【０００８】
本発明に係る開口部装置は、上枠、下枠及び左右の縦枠で開口部を形成した枠体を備える開口部装置であって、前記上枠、下枠及び左右の縦枠は、押縁を装着可能な係合部を開口部側の見込み面とは反対側の外側見込み面に有し、前記上枠、下枠及び左右の縦枠は、前記外側見込み面より室外側に位置した室外側見付け面が前記開口部を塞ぐ面材に対するシール面、又は可動障子に対する水密材若しくは気密材の当接面となることを特徴とする。
【０００９】
このような構成によれば、開口部装置は枠体の外側見込み面に設けた係合部に押縁を装着し、この押縁と枠体の室外側見付け面との間に面材を保持することで嵌め殺し窓を構成できる。さらに開口部装置は係合部に押縁を装着せず、枠体の室外側見付け面に可動障子を配置することで開閉窓を構成できる。すなわち開口部装置は、係合部に対する押縁の装着の有無だけで枠体を嵌め殺し窓と開閉窓とで兼用することができ、製造コストや製造効率が向上する。しかも開口部装置は、嵌め殺し窓として構成された場合は面材が枠体の開口部の開口面積の全体に対面配置された状態となり、開閉窓として構成された場合は可動障子が枠体の開口部の開口面積の全体に対面配置された状態となる。その結果、開口部の開口面積を大きく確保することができる。
【００１０】
本発明に係る開口部装置において、前記面材はその縁部が、前記係合部に装着された前記押縁と前記室外側見付け面との間に形成された開口溝内で支持され、前記面材と前記室外側見付け面との間にはシール材が設けられた構成であってもよい。そうすると、嵌め殺し窓を構成する面材が枠体の室外側見付け面で確実に気密支持される。
【００１１】
本発明に係る開口部装置において、前記可動障子はその室内側見付け面が、水密材又は気密材を介して前記室外側見付け面に当接された構成であってもよい。そうすると、開閉窓を構成する可動障子が枠体の室外側見付け面で確実に気密支持される。
【００１２】
本発明に係る開口部装置において、前記上枠と前記下枠との間には、前記開口部を上下に仕切るように前記左右の縦枠間に亘る中間枠が設けられ、前記中間枠で仕切られた一方の開口部には、前記面材又は前記可動障子が設けられ、前記中間枠で仕切られた他方の開口部には、前記面材又は前記可動障子が設けられ、前記中間枠はその室外側見付け面が、前記一方の開口部に設けられる前記面材又は前記可動障子と、前記他方の開口部に設けられる前記面材に対するシール面、又は前記可動障子とに対する水密材若しくは気密材の当接面となる構成であってもよい。そうすると、開口部装置は上下方向に嵌め殺し窓を複数並設し、又は嵌め殺し窓と開閉窓を並設することができる。また開口部装置は、その室外側面を上下方向に容易に揃えてその外観品質を高めることができる。
【００１３】
本発明に係る開口部装置において、前記中間枠の室外側見付け面には、室外側に向かって突出した突出片が設けられ、前記突出片は、前記中間枠の室外側見付け面の上下方向中央位置よりも上部又は下部に位置ずれした構成であってもよい。そうすると、中間枠の室外側見付け面には、突出片よりも上部又は下部に大きな空間が形成される。そこで、この大きな空間は開閉窓の可動障子の配置空間として利用できる一方、中間枠の室外側見付け面の小さな空間には嵌め殺し窓の面材を配置できる。
【００１４】
本発明に係る開口部装置において、前記突出片は、前記中間枠に対して装着される中間押縁を装着可能な係合部を有する構成であってもよい。そうすると、開口部装置はこの中間押縁と中間枠の室外側見付け面との間に嵌め殺し窓の面材を保持することができる。
【００１５】
本発明に係る開口部装置において、前記一方の開口部に前記面材が設けられ、前記他方の開口部に前記可動障子が設けられる場合、前記中間押縁は、前記面材が設けられる一方の開口部側に突出して前記中間枠の室外側見付け面との間に前記面材の縁部を支持する開口溝を形成する押え片を有すると共に、該押え片が前記可動障子が設けられる他方の開口部側には突出していない略Ｌ字形状を有する構成であってもよい。そうすると、開口部装置は中間押縁の押え片がある部分で嵌め殺し窓の面材を保持し、押え片がない部分に開閉窓の可動障子を配置できる。
【００１６】
本発明に係る開口部装置において、前記一方の開口部に前記面材が設けられ、前記他方の開口部に前記面材が設けられる場合、前記中間押縁は、前記面材が設けられる一方の開口部側に突出して前記中間枠の室外側見付け面との間に前記面材の縁部を支持する開口溝を形成する押え片を有すると共に、該押え片が前記面材が設けられる他方の開口部側にも突出した略Ｔ字形状を有する構成であってもよい。そうすると、開口部装置は中間押縁の一方側及び他方側の押え片でそれぞれ嵌め殺し窓の面材を保持することができる。
【発明の効果】
【００１７】
本発明によれば、係合部に対する押縁の装着の有無だけで枠体を嵌め殺し窓と開閉窓とで兼用することができ、製造コストや製造効率が向上し、さらに開口部の開口面積を大きく確保することができる。
【図面の簡単な説明】
【００１８】
【図１】図１は、本発明の一実施形態に係る開口部装置で嵌め殺し窓を構成した場合の縦断面図である。
【図２】図２は、図１に示す開口部装置の横断面図である。
【図３】図３は、本発明の一実施形態に係る開口部装置で開閉窓を構成した場合の縦断面図である。
【図４】図４は、図３に示す開口部装置の横断面図である。
【図５】図５は、開閉窓を外開き窓で構成した場合の横断面図である。
【図６】図６は、変形例に係る開口部装置の構成を示す縦断面図である。
【図７】図７は、変形例に係る開口部装置で嵌め殺し窓と開閉窓を並設した構成を示す縦断面図である。
【発明を実施するための形態】
【００１９】
以下、本発明に係る開口部装置について好適な実施の形態を挙げ、添付の図面を参照しながら詳細に説明する。
【００２０】
図１は、本発明の一実施形態に係る開口部装置１０で嵌め殺し窓１０Ａを構成した場合の縦断面図であり、図２は、図１に示す開口部装置１０の横断面図である。図３は、本発明の一実施形態に係る開口部装置１０で開閉窓１０Ｂを構成した場合の縦断面図であり、図４は、図３に示す開口部装置１０の横断面図である。
【００２１】
図１〜図４に示すように、開口部装置１０は、嵌め殺し窓１０Ａと開閉窓１０Ｂとで兼用可能な枠体１２を備える。図１及び図２に示すように、嵌め殺し窓１０Ａは、枠体１２の開口部１４を面材１６で塞いだ構成である。図３及び図４に示すように、開閉窓１０Ｂは、枠体１２の開口部１４を可動障子１８で開閉可能に塞いだ構成である。本実施形態では、開口部装置１０を建物の外壁を構成するカーテンウォールに適用した構成を例示する。開口部装置１０は、建物の開口部を閉塞し又は開閉する建具に適用してもよい。
【００２２】
枠体１２は、上枠１２ａ、下枠１２ｂ及び左右の縦枠１２ｃ，１２ｄを四周枠組みすることで矩形の開口部１４を形成したものである。各枠１２ａ〜１２ｄはアルミニウム等の金属の押出形材である。
【００２３】
本出願において、見込み方向とは開口部装置１０の室内外方向（図中に矢印Ｚで示す方向）をいい、見込み面とは見込み方向に沿って延在する面をいう。見付け方向とは見込み方向に直交する方向であり、上下方向に長尺な縦枠１２ｃ，１２ｄ等の場合はその長手方向に直交する左右方向（図中に矢印Ｘで示す方向）をいい、左右方向に長尺な上枠１２ａ及び下枠１２ｂ等の場合はその長手方向に直交する上下方向（図中に矢印Ｙで示す方向）をいう。見付け面とは見付け方向に沿った面をいう。また、枠体１２の内側（内周）とは枠体１２の開口部１４側の部分をいい、枠体１２の外側（外周）とは枠体１２の開口部１４側とは反対側の部分をいう。
【００２４】
図１及び図３に示すように、上枠１２ａは、開口部１４側の内側見込み面２０とは反対側の外側見込み面２１に係合部２２を有する。本実施形態の場合、外側見込み面２１は、上枠１２ａに形成された３つの中空部のうちで最も室外側にある中空部の外側壁面である。係合部２２は、室内外方向に並んだ一対の係合爪で構成されている。係合部２２は、枠体１２を嵌め殺し窓１０Ａに利用する場合に、面材１６の室外側面を保持する押縁２４を装着する取付部である（図１参照）。
【００２５】
外側見込み面２１よりも室内側の外側見込み面２５には、水密材２６と気密材２７とが並設されている。開口部装置１０は、カーテンウォールを構成する場合は通常上下方向に並んで設置される。この場合は当該上枠１２ａの上部に別の開口部装置１０の下枠１２ｂが配置される。上枠１２ａの水密材２６及び気密材２７は、その上部に配置される下枠１２ｂの水密材２６及び気密材２７と密着し、２つの開口部装置１０間をシールするものである。開口部装置１０を単独で用いて建具を構成する場合は水密材２６及び気密材２７が省略され、上枠１２ａの外側見込み面２５は例えば建物躯体への取付面となる。開口部装置１０を上下に並設する場合や単独で用いる場合の水密材２６及び気密材２７の構成及び機能は、後述する下枠１２ｂについても上枠１２ａと同様である。
【００２６】
上枠１２ａは、外側見込み面２１より室外側に位置した室外側見付け面２８に突起２９を有する。突起２９は、枠体１２を嵌め殺し窓１０Ａに利用する場合にバックアップ材３０を装着する部分である（図１参照）。バックアップ材３０は、面材１６の室内側面と室外側見付け面２８との間に介在する。
【００２７】
図１及び図３に示すように、本実施形態の場合、下枠１２ｂは、上枠１２ａと上下線対称構造である。従って、下枠１２ｂは、内側見込み面２０とは反対側の外側見込み面２１に係合部２２を有し、外側見込み面２５に水密材２６及び気密材２７を有し、室外側見付け面２８に突起２９を有する。
【００２８】
図２及び図４に示すように、一方の縦枠１２ｃは、上枠１２ａや下枠１２ｂと形状は異なるが、内側見込み面２０とは反対側の外側見込み面２１に係合部２２を有し、外側見込み面２５に水密材２６及び気密材２７とを有し、室外側見付け面２８に突起２９を有する。開口部装置１０は、カーテンウォールを構成する場合は通常左右方向にも並んで設置される。この場合は当該縦枠１２ｃの側部に別の開口部装置１０の縦枠１２ｄが配置される。縦枠１２ｃの水密材２６及び気密材２７は、その側部に配置される縦枠１２ｄの水密材２６及び気密材２７と密着し、２つの開口部装置１０間をシールするものである。開口部装置１０を単独で用いて建具を構成する場合は水密材２６及び気密材２７が省略され、縦枠１２ｃの外側見込み面２５は例えば建物躯体への取付面となる。開口部装置１０を左右に並設する場合や単独で用いる場合の水密材２６及び気密材２７の構成及び機能は、後述する縦枠１２ｄについても縦枠１２ｃと同様である。
【００２９】
図２及び図４に示すように、本実施形態の場合、他方の縦枠１２ｄは、一方の縦枠１２ｃと左右線対称構造である。従って、縦枠１２ｄは、内側見込み面２０とは反対側の外側見込み面２１に係合部２２を有し、外側見込み面２５に水密材２６及び気密材２７とを有し、室外側見付け面２８に突起２９を有する。
【００３０】
次に、枠体１２を用いて嵌め殺し窓１０Ａを構成する場合の構成例を説明する。
【００３１】
図１及び図２に示すように、嵌め殺し窓１０Ａは、各枠１２ａ〜１２ｄの外側見込み面２１の係合部２２に押縁２４の係合部３２を装着し、各枠１２ａ〜１２ｄと押縁２４との間に面材１６を保持した構成である。
【００３２】
押縁２４はアルミニウム等の金属の押出形材である。押縁２４は、見込み片部３４と、見付け片部３５とを有し、略Ｌ字状に形成されている。見込み片部３４は、各枠１２ａ〜１２ｄの外側見込み面２１に沿って室外側に延びる部分である。見込み片部３４の室内側端部には係合部３２が設けられている。見付け片部３５は、見込み片部３４の室外側端部から開口部１４側となる内側に延びた部分である。見付け片部３５の先端部の室内側面には、ガスケット３６が装着される。
【００３３】
押縁２４は、各枠１２ａ〜１２ｄに装着された場合に、見付け片部３５が室外側見付け面２８に対向し、外側部分を見込み片部３４が塞ぐことで内側に開口した開口溝３８を形成する。すなわち開口溝３８は、見付け片部３５及び室外側見付け面２８が室内外側の両側壁となり、見込み片部３４が底壁となる。上枠１２ａの開口溝３８は下向きに開口し、下枠１２ｂの開口溝３８は上向きに開口し、縦枠１２ｃ，１２ｄの開口溝３８は互いに対向する横向きに開口する。
【００３４】
面材１６は、スペーサ３９及びシール材４０を介して一対のガラス板１６ａ，１６ｂを対面配置した２層構造の複層ガラスである。面材１６は、その四周縁部がそれぞれ各枠１２ａ〜１２ｄの開口溝３８内に収容支持される。面材１６の室内側面と各枠１２ａ〜１２ｄの室外側見付け面２８との間には、バックアップ材３０及びシール材４２が設けられる。面材１６の室外側面と各押縁２４の見付け片部３５との間には、ガスケット３６が設けられる。下枠１２ｂの開口溝３８の底部には、面材１６の下端面を保持するセッティングブロック４４が適宜配設される。
【００３５】
このように、嵌め殺し窓１０Ａでは、各枠１２ａ〜１２ｄの室外側見付け面２８が面材１６に対するシール面となる。このため、枠体１２の開口部１４の開口面積の全体に面材１６のガラス板１６ａ，１６ｂが対面配置された状態となり、開口部１４の略全域がガラス板１６ａ，１６ｂを介して開口したような状態となる。
【００３６】
次に、枠体１２を用いて開閉窓１０Ｂを構成する場合の構成例を説明する。
【００３７】
図３及び図４に示すように、開閉窓１０Ｂは、各枠１２ａ〜１２ｄの外側見込み面２１の係合部２２に押縁２４を装着せず、各枠１２ａ〜１２ｄの室外側見付け面２８に可動障子１８を配置した構成である。可動障子１８は、框体４６と、面材４８とを有する。なお、図３及び図４において、図１及び図２に示される参照符号と同一の参照符号は同一又は同様な構成を示し、このため同一又は同様な機能及び効果を奏するものとして詳細な説明を省略し、以下同様とする。
【００３８】
框体４６は、上框４６ａ、下框４６ｂ及び左右の縦框４６ｃ，４６ｄを框組みすることで矩形の開口部を形成し、この開口部に面材４８を保持したものである。各框４６ａ〜４６ｄはアルミニウム等の金属の押出形材である。各框４６ａ〜４６ｄは、その内側見込み面に面材４８の各縁部を支持する開口溝５０を有する。
【００３９】
面材４８は、上記した面材１６と同様、スペーサ３９及びシール材４０を介して一対のガラス板４８ａ，４８ｂを対面配置した２層構造の複層ガラスである。面材４８は、その四周縁部がそれぞれ各框４６ａ〜４６ｄの開口溝５０内に収容支持される。面材４８の室内側面と開口溝５０の室内側壁部との間にはバックアップ材３０及びシール材４２が設けられる。面材４８の室外側面と開口溝５０の室外側壁部との間にはガスケット３６が設けられる。下框４６ｂの開口溝５０の底部には、面材４８の下端面を保持するセッティングブロック４４が適宜配設される。
【００４０】
図３及び図４に示す開閉窓１０Ｂは、突き出し窓を例示している。可動障子１８の上框４６ａは、上枠１２ａに取付固定されたブラケット５２に対し、丁番５３を介して開閉可能に連結されている。左右の縦框４６ｃ，４６ｄは、それぞれアーム部材５４を介して対面する縦枠１２ｃ，１２ｄの内側見込み面２０に連結されている。このため、可動障子１８は、上框４６ａを吊元側として下框４６ｂ側が室外に突き出すように開閉する（図３中に二点鎖線で示した可動障子１８参照）。その際、各枠１２ａ〜１２ｄは、その室外側見付け面２８が可動障子１８の戸当たりとなる。可動障子１８の各框４６ａ〜４６ｄの室内側見付け面５５には、水密材５６及び気密材５７が室内側に突出するように設けられている。水密材５６は、係合部２２近傍の室外側見付け面２８に当接する。気密材５７は、突起２９近傍の室外側見付け面２８に当接する。
【００４１】
このように、開閉窓１０Ｂでは、各枠１２ａ〜１２ｄの室外側見付け面２８が可動障子１８に対する水密材５６又は（及び）気密材５７の当接面となる。このため、枠体１２の開口部１４の開口面積の全体に可動障子１８が対面配置された状態となり、開口部１４の開口面積が最大限に確保される。なお、水密材５６と気密材５７の両方を用いている場合は室外側見付け面２８が水密材５６及び気密材５７の当接面となり、水密材５６と気密材５７の一方のみを用いている場合は室外側見付け面２８が水密材５６又は気密材５７の当接面となり、以下の構成例でも同様である。
【００４２】
開閉窓１０Ｂは、上記のような突き出し窓以外でもよく、例えば外倒し窓でもよい。開閉窓１０Ｂを外倒し窓で構成する場合は、丁番５３を下框４６ｂと下枠１２ｂとの間に連結し、可動障子１８が下框４６ｂを吊元側として上框４６ａが室外に倒れるように構成するとよい。
【００４３】
図５は、開閉窓１０Ｂを外開き窓で構成した場合の横断面図である。図５に示すように、開閉窓１０Ｂは、縦框４６ｄ（又は縦框４６ｃ）を吊元側として縦開きする外開き窓で構成してもよい。図５に示す開閉窓１０Ｂは、可動障子１８の縦框４６ｄが縦枠１２ｄに取付固定されたブラケット５８に対し、丁番５３を介して開閉可能に連結されている。このため、可動障子１８は、縦框４６ｄを吊元側としてハンドル５９を設けた縦框４６ｃ側が室外に突き出すように開閉する（図５中に二点鎖線で示した可動障子１８参照）。この場合にも、各枠１２ａ〜１２ｄは、その室外側見付け面２８が可動障子１８に対する水密材５６又は（及び）気密材５７の当接面となる。なお開閉窓はすべり出し窓、縦すべり出し窓として構成してもよい。
【００４４】
以上のように、本実施形態に係る開口部装置１０では、各枠１２ａ〜１２ｄは、押縁２４を装着可能な係合部２２を開口部１４側の内側見込み面２０とは反対側の外側見込み面２１に有し、各枠１２ａ〜１２ｄは、外側見込み面２１より室外側に位置した室外側見付け面２８が開口部１４を塞ぐ面材１６に対するシール面、又は可動障子１８に対する水密材５６若しくは（及び）気密材５７の当接面となる。
【００４５】
従って、開口部装置１０は、係合部２２に押縁２４を装着し、この押縁２４と室外側見付け面２８との間に面材１６を保持することで嵌め殺し窓１０Ａを構成できる。さらに開口部装置１０は、係合部２２に押縁２４を装着せず、枠体１２の室外側見付け面２８に可動障子１８を配置することで開閉窓１０Ｂを構成できる。すなわち開口部装置１０は、係合部２２に対する押縁２４の装着の有無だけで枠体１２を嵌め殺し窓１０Ａと開閉窓１０Ｂとで兼用することができ、製造コストや製造効率が向上する。しかも開口部装置１０は、嵌め殺し窓１０Ａとして構成された場合は、面材１６が枠体１２の開口部１４の開口面積の全体に対面配置された状態となる。その結果、開口部１４の略全域に面材１６のガラス板１６ａ，１６ｂが対面配置され、嵌め殺し窓１０Ａでの開口面積（ガラス面積）を大きく確保することができる。さらに開口部装置１０は、開閉窓１０Ｂとして構成された場合は、可動障子１８が枠体１２の開口部１４の開口面積の全体に対面配置された状態となる。その結果、開口部１４の開口面積を大きく確保することができる。
【００４６】
上記したように開口部装置１０は上下左右に複数並設して用いることもできる。図６は、変形例に係る開口部装置６０の構成を示す縦断面図である。図６に示す開口部装置６０は、開口部装置１０で構成した嵌め殺し窓１０Ａを上下方向に複数並設した構成例である。
【００４７】
図６に示すように、開口部装置６０は、上下方向に３つの嵌め殺し窓１０Ａを並設した構成である。開口部装置６０の枠体１２は、上枠１２ａ、下枠１２ｂ及び左右の縦枠１２ｃ，１２ｄに加えて、上枠１２ａと下枠１２ｂとの間に上下２つの中間枠（無目）１２ｅ，１２ｆを有する。中間枠１２ｅ，１２ｆはアルミニウム等の金属の押出形材である。各中間枠１２ｅ，１２ｆは、それぞれ開口部１４を上下２つに仕切るように左右の縦枠１２ｃ，１２ｄ間に亘っている。これにより開口部１４は上下３つの開口部１４ａ〜１４ｃに仕切られている。
【００４８】
上段の嵌め殺し窓１０Ａは、上枠として図１に示す開口部装置１０の上枠１２ａを用い、下枠として中間枠１２ｅを用いた構成であり、開口部１４ａを塞ぐ。中段の嵌め殺し窓１０Ａは、上枠として中間枠１２ｅを用い、下枠として中間枠１２ｆを用いた構成であり、開口部１４ｂを塞ぐ。下段の嵌め殺し窓１０Ａは、上枠として中間枠１２ｆを用い、下枠として図１に示す開口部装置１０の下枠１２ｂを用いた構成であり、開口部１４ｃを塞ぐ。縦枠１２ｃ，１２ｄは、上下全ての嵌め殺し窓１０Ａに共通して用いられる。
【００４９】
一方の中間枠１２ｅは断面略矩形状に形成された中空部６２を有する。中空部６２の室外側見付け面６４には、室外側に向かって突出した突出片６５が設けられている。突出片６５は、中間枠１２ｅの上下方向中央位置よりも上部に位置ずれした位置にある。突出片６５の下面には係合部６６が設けられている。係合部６６は、室内外方向に並んだ一対の係合爪で構成されている。係合部６６は、中間押縁６８を装着する取付部である。中間枠１２ｅの室外側見付け面６４の上下端部付近にはそれぞれ突起２９が設けられ、それぞれバックアップ材３０が装着される。
【００５０】
中間押縁６８はアルミニウム等の金属の押出形材である。中間押縁６８は、中間枠１２ｅの上下に設置される嵌め殺し窓１０Ａ，１０Ａのそれぞれの面材１６の室外側面を保持する部材である。中間押縁６８は、見込み片部７０と、上下一対の見付け片部（押え片）７１，７２とを有し、略Ｔ字状に形成されている。見込み片部７０は、突出片６５に沿って室外側に延びた部分である。見込み片部７０には、突出片６５の係合部６６と係合される係合部７４が設けられている。一方の見付け片部７１は、見込み片部７０の室外側端部から上方に延びた部分である。他方の見付け片部７２は、見込み片部７０の係合部７４よりも室外側となる位置から下方及び室外側へと屈曲した後、下方に延びた部分である。各見付け片部７１，７２の先端部の室内側面には、ガスケット３６が装着される。見込み片部７２の屈曲形状によって形成された凹部６８ａは、開口部装置６０の各枠１２ａ〜１２ｆの外観上での見付け寸法を揃えるためのものであり、省略してもよい。
【００５１】
中間押縁６８は、一方の見付け片部７１が室外側見付け面６４に対向し、その外側部分が突出片６５及び見込み片部７０で塞がれることで内側（上向き）に開口した開口溝７６を形成する。開口部７６は、見付け片部７１及び室外側見付け面６４が室内外側の両側壁となり、突出片６５及び見込み片部７０が底壁となる。さらに中間押縁６８は、他方の見付け片部７２が室外側見付け面６４に対向し、その外側部分が突出片６５及び見込み片部７０で塞がれることで内側（下向き）に開口した開口溝７７を形成する。開口部７７は、見付け片部７２及び室外側見付け面６４が室内外側の両側壁となり、突出片６５及び見込み片部７０が底壁となる。
【００５２】
本実施形態の場合、他方の中間枠１２ｆは、一方の中間枠１２ｅと上下線対称構造である。換言すれば、中間枠１２ｅを上下反転させて用いると中間枠１２ｆを構成できる。従って、中間枠１２ｆは、その上下方向中央位置よりも下部に位置ずれした位置に突出片６５を有し、突出片６５の上面に係合部６６を有し、室外側見付け面６４の上下端部付近にそれぞれ突起２９を有する。
【００５３】
中間枠１２ｆの係合部６６に装着される中間押縁７８についても、上記した中間押縁６８と略上下線対称構造である。換言すれば、中間押縁６８を上下反転させて中間押縁７８を構成してもよい。従って、中間押縁７８は、係合部７４を設けた見込み片部７０と、見付け片部７１，７２とを有し、略Ｔ字状に形成されている。さらに中間押縁７８は、一方の見付け片部７１と室外側見付け面６４との間に内側（下向き）に開口した開口溝７６を形成し、他方の見付け片部７２と室外側見付け面６４との間に内側（上向き）に開口した開口溝７７を形成する。
【００５４】
このような開口部装置６０では、上段の嵌め殺し窓１０Ａは、その面材１６の上下縁部がそれぞれ開口溝３８，７６に収容支持される。中段の嵌め殺し窓１０Ａは、その面材１６の上下縁部がそれぞれ開口溝７７，７７に収容支持される。下段の嵌め殺し窓１０Ａは、その面材１６の上下縁部がそれぞれ開口溝７６，３８に収容支持される。この際、各中間枠１２ｅ，１２ｆの室外側見付け面６４と各開口溝７６，７７に配置された面材１６の室内側面との間にバックアップ材３０及びシール材４２が設けられる。従って、各枠１２ａ〜１２ｄの室外側見付け面２８と共に、中間枠１２ｅ，１２ｆのそれぞれの室外側見付け面６４が面材１６に対するシール面となる。このため、各開口部１４ａ〜１４ｃの略全域がそれぞれ面材１６のガラス板１６ａ，１６ｂを介して開口したような状態となり、各嵌め殺し窓１０Ａのガラス面積を大きく確保することができる。
【００５５】
開口部装置６０では、上枠１２ａ及び下枠１２ｂの室外側見付け面２８と共に、中間枠１２ｅ，１２ｆの室外側見付け面６４を面材１６に対するシール面としている。このため、図６に示すように開口部装置６０の室外側面を構成する押縁２４，６８，７８を上下方向に揃えて略面一に構成することができる。同時に、各面材１６の室外側面も上下方向に揃えて略面一に構成することができる。
【００５６】
このような開口部装置６０は、嵌め殺し窓１０Ａと開閉窓１０Ｂを上下方向に並設することもできる。図７は、変形例に係る開口部装置６０で嵌め殺し窓１０Ａと開閉窓１０Ｂを並設した構成を示す縦断面図である。
【００５７】
図７に示すように、この開口部装置６０は、上下方向で順に嵌め殺し窓１０Ａ、開閉窓１０Ｂ、嵌め殺し窓１０Ａを並べた構成である。上段の嵌め殺し窓１０Ａは、上枠として図１に示す開口部装置１０の上枠１２ａを用い、下枠として中間枠１２ｅを用いた構成であり、開口部１４ａを塞ぐ。中段の開閉窓１０Ｂは、上枠として中間枠１２ｅを用い、下枠として中間枠１２ｆを用いた構成であり、開口部１４ｂを塞ぐ。下段の嵌め殺し窓１０Ａは、上枠として中間枠１２ｆを用い、下枠として図１に示す開口部装置１０の下枠１２ｂを用いた構成であり、開口部１４ｃを塞ぐ。図７に示す開口部装置６０は、各段全てを嵌め殺し窓１０Ａで構成した図６に示す開口部装置６０と比べて、中間押縁６８，７８とは形状の異なる中間押縁８０，８２を用いている。
【００５８】
一方の中間押縁８０は、図６に示す中間押縁６８から見付け片部７２を省略した構造である。すなわち中間押縁８０は、係合部７４を設けた見込み片部７０と、見付け片部（押え片）７１とを有し、略Ｌ字状に形成されている。なお、中間押縁８０が装着される突出片６５は中間枠１２ｅの上下方向中央位置よりも上部に位置ずれした位置にある。このため、中間押縁８０の見込み片部７０と中間枠１２ｅの室外側見付け面６４との間には、可動障子１８の上縁部を室内外方向に移動可能に配置することのできる大きな空間が形成されている。
【００５９】
他方の中間押縁８２についても、上記した中間押縁８０と略上下線対称構造である。換言すれば、中間押縁８０を上下反転させて中間押縁８２を構成してもよい。従って、中間押縁８２は、係合部７４を設けた見込み片部７０と、見付け片部７１とを有し、略Ｌ字状に形成されている。中間押縁８２の見込み片部７０と中間枠１２ｆの室外側見付け面６４との間には、可動障子１８の下縁部を室内外方向に移動可能に配置することのできる大きな空間が形成されている。
【００６０】
このような開口部装置６０では、上段の嵌め殺し窓１０Ａは、その面材１６の上下縁部がそれぞれ開口溝３８，７６に収容支持される。中段の開閉窓１０Ｂは、その可動障子１８の上下縁部がそれぞれ中間枠１２ｅ，１２ｆの室外側見付け面６４に配置される。下段の嵌め殺し窓１０Ａは、その面材１６の上下縁部がそれぞれ開口溝７６，３８に収容支持される。この際、各中間枠１２ｅ，１２ｆの室外側見付け面６４には可動障子１８の水密材５６及び気密材５７が当接する。従って、中間枠１２ｅ，１２ｆのそれぞれの室外側見付け面６４が可動障子１８に対する水密材５６又は（及び）気密材５７の当接面となる。このため、開口部１４ａ，１４ｃの略全域がそれぞれ面材１６のガラス板１６ａ，１６ｂを介して開口したような状態となり、また開口部１４ｂの開口面積の全体に可動障子１８が対面配置された状態となる。その結果、各開口部１４ａ〜１４ｂのガラス面積及び開口面積を大きく確保することができる。
【００６１】
図７に示す開口部装置６０では、上枠１２ａ及び下枠１２ｂの室外側見付け面２８と共に、中間枠１２ｅ，１２ｆの室外側見付け面６４を面材１６に対するシール面及び可動障子１８に対する水密材５６若しくは（及び）気密材５７の当接面としている。このため、図７に示すように開口部装置６０の室外側面を構成する押縁２４，８０，８２を上下方向に揃えて略面一に構成することができる。同時に、各面材１６，４８の室外側面も上下方向に揃えて略面一に構成することができる。
【００６２】
なお、本発明は、上記した実施形態に限定されるものではなく、本発明の主旨を逸脱しない範囲で自由に変更できることは勿論である。
【００６３】
上記実施形態では、開口部装置１０を上下１段とした構成と上下３段とした構成（開口部装置６０）とを例示したが、開口部装置１０は上下２段又は上下４段以上で構成されてもよい。例えば開口部装置１０を上下２段で構成する場合は、嵌め殺し窓１０Ａや開閉窓１０Ｂの配置順に応じて中間枠１２ｅ又は中間枠１２ｆを用いればよい。具体的には、例えば２段の上段に嵌め殺し窓１０Ａを配置し、下段に開閉窓１０Ｂを配置する場合は、上から順に上枠１２ａ及び押縁２４、面材１６、中間枠１２ｅ、可動障子１８、下枠１２ｂと設置すればよい。
【００６４】
図７に示す開口部装置６０では、上から順に嵌め殺し窓１０Ａ、開閉窓１０Ｂ、嵌め殺し窓１０Ａを設けた構成を例示したが、この順は変更しても勿論よい。例えば図７に示す開口部装置６０で、上段に開閉窓１０Ｂを設け、中段に嵌め殺し窓１０Ａを設ける場合は、中間枠１２ｅ，１２ｆをそれぞれ上下反転させ、押縁２４及び中間押縁６８，７８，８０，８２を適宜用いればよい。
【符号の説明】
【００６５】
１０，６０  開口部装置、１０Ａ  嵌め殺し窓、１０Ｂ  開閉窓、１２  枠体、１２ａ  上枠、１２ｂ  下枠、１２ｃ，１２ｄ  縦枠、１２ｅ，１２ｆ  中間枠、１４，１４ａ〜１４ｃ  開口部、１６，４８  面材、１６ａ，１６ｂ，４８ａ，４８ｂ  ガラス板、１８  可動障子、２０  内側見込み面、２１，２５  外側見込み面、２２，３２，６６，７４  係合部、２４  押縁、２６，５６  水密材、２７，５７  気密材、２８，６４  室外側見付け面、３８，５０，７６，７７  開口溝、４０，４２  シール材、４６  框体、４６ａ  上框、４６ｂ  下框、４６ｃ，４６ｄ  縦框、５５  室内側見付け面、６５  突出片、６８，７８，８０，８２  中間押縁
【図１】
2018066137.tif 000003
【図２】
2018066137.tif 000004
【図３】
2018066137.tif 000005
【図４】
2018066137.tif 000006
【図５】
2018066137.tif 000007
【図６】
2018066137.tif 000008
【図７】
2018066137.tif 000009